(57)【要約】      （修正有）【課題】  銀塩写真に匹敵する画質が得られ、記録物の高い耐光性を得ることができるインクジェット用インクを提供する。【解決手段】  少なくとも色材を含有するインクジェット用インクにおいて、前記色材が下記一般式（Ｉ）で表される化合物又はその塩であり、更に、特定のジアリールアミノトリアジン化合物を含有することを特徴とするインクジェット用インク。  一般式（Ｉ）2006045536.tif 000027【選択図】  なし【特許請求の範囲】
【請求項１】
少なくとも色材を含有するインクジェット用インクにおいて、
前記色材が下記一般式（Ｉ）で表される化合物又はその塩であり、更に、下記一般式（ＩＩ）で表される化合物を含有することを特徴とするインクジェット用インク。
一般式（Ｉ）
【化１】
2006045536.tif 000024
（一般式（Ｉ）中、Ｒ１は水素原子、アルキル基、ヒドロキシ低級アルキル基、シクロヘキシル基、モノ又はジアルキルアミノアルキル基、又はシアノ低級アルキル基であり、Ｙは塩素原子、ヒドロキシル基、アミノ基、モノ又はジアルキルアミノ基（アルキル基上にスルホン酸基、カルボキシル基、及びヒドロキシル基からなる群から選択される置換基を有していてもよい）であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
一般式（ＩＩ）
【化２】
2006045536.tif 000025
（一般式（ＩＩ）中、Ｒ７、Ｒ８、Ｒ９、Ｒ１０、Ｒ１１、Ｒ１２、Ｒ１３、Ｒ１４、Ｒ１５及びＲ１６はそれぞれ独立に水素原子、炭素数１〜８のアルキル基、カルボキシル基、又はその塩（但し、Ｒ７、Ｒ８、Ｒ９、Ｒ１０、Ｒ１１、Ｒ１２、Ｒ１３、Ｒ１４、Ｒ１５及びＲ１６のすべてが水素原子である場合を除き、且つ、Ｒ７、Ｒ８、Ｒ９、Ｒ１０、Ｒ１１、Ｒ１２、Ｒ１３、Ｒ１４、Ｒ１５及びＲ１６の少なくとも１つがカルボキシル基又はその塩である）であり、Ｘは塩素原子、ヒドロキシル基、アミノ基、モノ又はジアルキルアミノ基（アルキル基上にスルホン酸基、カルボキシル基、及びヒドロキシル基からなる群から選択される置換基を有してもよい）である。）
【請求項２】
前記一般式（ＩＩ）で表される化合物において、Ｒ７及びＲ１１の一方がカルボキシル基又はその塩、他方が水素であり、Ｒ１２及びＲ１６の一方がカルボキシル基又はその塩、他方が水素であり、Ｒ８、Ｒ９、Ｒ１０、Ｒ１３、Ｒ１４、Ｒ１５が全て水素であり、且つ、Ｘがヒドロキシル基である請求項１記載のインクジェット用インク。
【請求項３】
前記インクジェット用インクの２５℃におけるｐＨ、及び前記一般式（ＩＩ）で表される化合物のインクジェット用インク全質量に対する含有量（質量％）が、下記式（１）の関係を満たす請求項１又は２に記載のインクジェット用インク。
【数１】
2006045536.tif 000026
（式（１）中、ｐＨは４．０以上１１．０以下である。）
【請求項４】
前記インクジェット用インクの２５℃におけるｐＨが、４．０以上、１１．０以下であり、且つ、前記ｐＨ、及び前記一般式（ＩＩ）で表される化合物のインクジェット用インク全質量に対する含有量（質量％）が、下記（ａ）〜（ｋ）の何れかの関係を満たす請求項１〜３の何れか１項に記載のインクジェット用インク。
（ａ）ｐＨが１０．５以上１１．０以下の場合、含有量が２．１０質量％以下
（ｂ）ｐＨが１０．０以上１０．５未満の場合、含有量が１．５０質量％以下
（ｃ）ｐＨが９．０以上１０．０未満の場合、含有量が１．００質量％以下
（ｄ）ｐＨが８．０以上９．０未満の場合、含有量が０．６２質量％以下
（ｅ）ｐＨが７．２以上８．０未満の場合、含有量が０．３８質量％以下
（ｆ）ｐＨが７．０以上７．２未満の場合、含有量が０．２３質量％以下
（ｇ）ｐＨが６．５以上７．０未満の場合、含有量が０．１８質量％以下
（ｈ）ｐＨが６．０以上６．５未満の場合、含有量が０．１４質量％以下
（ｉ）ｐＨが５．２以上６．０未満の場合、含有量が０．０９質量％以下
（ｊ）ｐＨが５．０以上５．２未満の場合、含有量が０．０６質量％以下
（ｋ）ｐＨが４．０以上５．０未満の場合、含有量が０．０４質量％以下
【請求項５】
前記インクジェット用インクの２５℃におけるｐＨ、及び前記一般式（ＩＩ）で表される化合物の含有量の関係が、前記式（１）の関係を満たし、且つ、前記一般式（ＩＩ）で表される化合物の含有量が、２．００質量％以下である請求項３又は４に記載のインクジェット用インク。
【請求項６】
前記インクジェット用インクの２５℃におけるｐＨ、及び前記一般式（ＩＩ）で表される化合物の含有量の関係が、前記式（１）の関係を満たし、且つ、前記一般式（ＩＩ）で表される化合物の含有量が、０．４２質量％以下である請求項３又は４に記載のインクジェット用インク。
【請求項７】
前記インクジェット用インクの２５℃におけるｐＨが、６．０以上９．５以下であり、且つ、前記ｐＨ、及び前記一般式（ＩＩ）で表される化合物のインクジェット用インク全質量に対する含有量（質量％）が、下記（ｌ）〜（ｏ）の何れかの関係を満たす請求項１〜６の何れか１項に記載のインクジェット用インク。
（ｌ）ｐＨが９．０以上９．５以下の場合、含有量が０．２３質量％以下
（ｍ）ｐＨが８．３以上９．０未満の場合、含有量が０．１８質量％以下
（ｎ）ｐＨが７．０以上８．３未満の場合、含有量が０．１１質量％以下
（ｏ）ｐＨが６．５以上７．０未満の場合、含有量が０．０９質量％以下
（ｐ）ｐＨが６．０以上６．５未満の場合、含有量が０．０４質量％以下
【請求項８】
複数のインクからなるインクセットに用いられるインクにおいて、前記インクの少なくとも１種が、請求項１〜７の何れか１項に記載のインクジェット用インクであるインクジェット用インク。
【請求項９】
複数のインクからなるインクセットにおいて、マゼンタインクとして請求項１〜８の何れか１項に記載のインクジェット用インクを含むことを特徴とするインクセット。
【請求項１０】
インクをインクジェット方法で吐出する工程を有するインクジェット記録方法において、前記インクが、請求項１〜８の何れか１項に記載のインクジェット用インクであることを特徴とするインクジェット記録方法。
【請求項１１】
インクを収容するインク収容部を備えたインクカートリッジにおいて、前記インクが、請求項１〜８の何れか１項に記載のインクジェット用インクであることを特徴とするインクカートリッジ。
【請求項１２】
インクを収容するインク収容部と、インクを吐出するための記録ヘッドとを備えた記録ユニットにおいて、前記インクが、請求項１〜８の何れか１項に記載のインクジェット用インクであることを特徴とする記録ユニット。
【請求項１３】
インクを収容するインク収容部と、インクを吐出するための記録ヘッドとを備えたインクジェット記録装置において、前記インクが、請求項１〜８の何れか１項に記載のインクジェット用インクであることを特徴とするインクジェット記録装置。
【請求項１４】
主たる発色構造部並びに前記主たる発色構造部に結合する補助構造部を有する色材、及び前記色材中の前記補助構造部と類似する主骨格並びにカルボキシル基を有し、且つ、可視領域に吸収域を持たない化合物、を含有することを特徴とするインク。
【発明の詳細な説明】
【技術分野】
【０００１】
本発明は、耐光性等に優れる画像を与えるインクジェット用インク、インクセット、インクジェット記録方法、インクカートリッジ、記録ユニット及びインクジェット記録装置に関する。
【背景技術】
【０００２】
インクジェット記録方法は、インク小滴を普通紙、及び、光沢メディア等の記録媒体上に付与して、画像を形成する記録方法であり、その低価格化、記録速度の向上により、急速に普及が進んでいる。又、その記録物の高画質化が進んだことに加えて、デジタルカメラの急速な普及に伴い、インクジェットプリンタユーザーは銀塩写真と同等の記録物を出力することを要求している。
【０００３】
インクジェット記録方法により得られる記録物が、銀塩写真に匹敵するための要件の一つとして、記録物の高い堅牢性が挙げられる。従来のインクジェット記録物は、銀塩写真と比較してその堅牢性が低い。そのため、記録物が光、湿度、熱、空気中に存在する環境ガス等に長時間さらされた際に、記録物上の色材が劣化し、画像の色調変化や褪色が発生しやすい、即ち、堅牢性が低いといった問題がある。前述したような課題を解決するために、従来から数多くの研究が行われている。
【０００４】
例えば、アントラピリドン構造を持つ色材を用いることで、堅牢性を向上させる提案がある（例えば、特許文献１及び２参照）。前記色材を用いることで、インクジェット用インクの保存安定性を向上することができる。しかし、これらのインクに代表される、従来のインクジェット用インクを用いて得られた記録物は、未だ銀塩写真の保存安定性に匹敵していないのが実情である。
【０００５】
又、近年、インクジェット用の記録媒体として、銀塩写真に匹敵、或いはそれを凌ぐ画質を得るためにアルミナやシリカ等の無機物をインク受容材料に使用した記録媒体が使用されている。しかし、前述したような記録媒体に記録を行った際の記録物の耐光性は未だ十分とは言えず、そのような記録物は光が照射される環境で保存されると、銀塩写真と比較してより短期間で褪色してしまう。
【特許文献１】特開２００２−３３２４１９号公報
【特許文献２】特開２００３−１９２９３０号公報
【発明の開示】
【発明が解決しようとする課題】
【０００６】
本発明者らは、上記した課題を鑑みて鋭意検討を行った。そして、従来の色材よりも耐光性が比較的高いという特性を有する色材を用い、更に、耐光性を向上させるための添加剤をインクに加えることに着目して、検討を行った。耐光性が高い色材を用い、更に、添加剤が耐光性を向上する機能を有することで、記録物の寿命は大幅に向上し、銀塩写真の耐光性に匹敵することが期待される。
【０００７】
ところが、インクに常用される添加剤を検討したところ、何れの添加剤も耐光性を向上させる効果が不十分であったり、又、添加剤自体が独特の色調を有し、従って前記添加剤を含有するインクを用いて作成した記録物の色調が変化するものがあったりした。
【０００８】
そこで、本発明者らが更に検討を行った結果、本発明の基本技術思想を見出した。即ち、本発明者らは、色材及び前記色材の特性に適合する添加剤を組み合わせて用いることで、記録物の高い耐光性を得ること（第１課題）ができる条件を見出した。又、本発明者らは更に、インクのｐＨ及び前記添加剤の添加量との相関により、低温保存時のインク安定性を良好とすること（第２課題）、印字直後の初期吐出性を良好とすること（第３課題）、画像品位を良好とすること（第４課題）、印字持続性を良好とすること（第５課題）の少なくとも１つ以上を満足することができる条件を見出した。
【０００９】
従って、本発明の第一課題にかかる第一発明の目的は、銀塩写真に匹敵する画質が得られ、記録物の高い耐光性を得ることができるインクジェット用インクを提供することにある。
【００１０】
又、本発明の第二課題にかかる第二発明の目的は、記録物の高い耐光性と、低温保存時のインク安定性を両立できるインクジェット用インクを提供することにある。
【００１１】
又、本発明の第三課題にかかる第三発明の目的は、記録物の高い耐光性と、印字直後の初期吐出性を両立できるインクジェット用インクを提供することにある。
【００１２】
又、本発明の第四課題にかかる第四発明の目的は、記録物の高い耐光性と、高い画像品位を両立できるインクジェット用インクを提供することにある。
【００１３】
又、本発明の第五課題にかかる第五発明の目的は、記録物の高い耐光性と、高い印字持続性を両立できるインクジェット用インクを提供することにある。
【００１４】
又更に、本発明の別の目的は、前記インクジェット用インクを用いたインクセット、インクジェット記録方法、インクカートリッジ、記録ユニット及びインクジェット記録装置を提供することにある。
【課題を解決するための手段】
【００１５】
上記の目的は以下の本発明によって達成される。
【００１６】
即ち、本発明の第一課題にかかる第一発明のインクジェット用インクは、少なくとも色材を含有するインクジェット用インクにおいて、
前記色材が下記一般式（Ｉ）で表される化合物又はその塩であり、更に、下記一般式（ＩＩ）で表される化合物を含有することを特徴とする。
【００１７】
一般式（Ｉ）
【００１８】
【化１】
2006045536.tif 000002
【００１９】
（一般式（Ｉ）中、Ｒ１は水素原子、アルキル基、ヒドロキシ低級アルキル基、シクロヘキシル基、モノ又はジアルキルアミノアルキル基、又はシアノ低級アルキル基であり、Ｙは塩素原子、ヒドロキシル基、アミノ基、モノ又はジアルキルアミノ基（アルキル基上にスルホン酸基、カルボキシル基、及びヒドロキシル基からなる群から選択される置換基を有していてもよい）であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
一般式（ＩＩ）
【００２０】
【化２】
2006045536.tif 000003
【００２１】
（一般式（ＩＩ）中、Ｒ７、Ｒ８、Ｒ９、Ｒ１０、Ｒ１１、Ｒ１２、Ｒ１３、Ｒ１４、Ｒ１５及びＲ１６はそれぞれ独立に水素原子、炭素数１〜８のアルキル基、カルボキシル基、又はその塩（但し、Ｒ７、Ｒ８、Ｒ９、Ｒ１０、Ｒ１１、Ｒ１２、Ｒ１３、Ｒ１４、Ｒ１５及びＲ１６のすべてが水素原子である場合を除き、且つ、Ｒ７、Ｒ８、Ｒ９、Ｒ１０、Ｒ１１、Ｒ１２、Ｒ１３、Ｒ１４、Ｒ１５及びＲ１６の少なくとも１つがカルボキシル基又はその塩である）であり、Ｘは塩素原子、ヒドロキシル基、アミノ基、モノ又はジアルキルアミノ基（アルキル基上にスルホン酸基、カルボキシル基、及びヒドロキシル基からなる群から選択される置換基を有してもよい）である。）
【００２２】
本発明の第二課題にかかる第二発明のインクジェット用インクは、上記構成のインクジェット用インクにおいて、前記インクジェット用インクの２５℃におけるｐＨが、４．０以上、１１．０以下であり、且つ、前記ｐＨ、及び前記一般式（ＩＩ）で表される化合物のインクジェット用インク全質量に対する含有量（質量％）が、下記（ａ）〜（ｋ）の何れかの関係を満たすことを特徴とする。
（ａ）ｐＨが１０．５以上１１．０以下の場合、含有量が２．１０質量％以下
（ｂ）ｐＨが１０．０以上１０．５未満の場合、含有量が１．５０質量％以下
（ｃ）ｐＨが９．０以上１０．０未満の場合、含有量が１．００質量％以下
（ｄ）ｐＨが８．０以上９．０未満の場合、含有量が０．６２質量％以下
（ｅ）ｐＨが７．２以上８．０未満の場合、含有量が０．３８質量％以下
（ｆ）ｐＨが７．０以上７．２未満の場合、含有量が０．２３質量％以下
（ｇ）ｐＨが６．５以上７．０未満の場合、含有量が０．１８質量％以下
（ｈ）ｐＨが６．０以上６．５未満の場合、含有量が０．１４質量％以下
（ｉ）ｐＨが５．２以上６．０未満の場合、含有量が０．０９質量％以下
（ｊ）ｐＨが５．０以上５．２未満の場合、含有量が０．０６質量％以下
（ｋ）ｐＨが４．０以上５．０未満の場合、含有量が０．０４質量％以下
【００２３】
本発明の第三課題にかかる第三発明のインクジェット用インクは、上記構成のインクジェット用インクにおいて、前記インクジェット用インクの２５℃におけるｐＨ、及び前記一般式（ＩＩ）で表される化合物の含有量の関係が、前記式（１）の関係を満たし、且つ、前記一般式（ＩＩ）で表される化合物の含有量が、２．００質量％以下であることを特徴とする。
【００２４】
本発明の第四課題にかかる第四発明のインクジェット用インクは、上記構成のインクジェット用インクにおいて、前記インクジェット用インクの２５℃におけるｐＨ、及び前記一般式（ＩＩ）で表される化合物の含有量の関係が、前記式（１）の関係を満たし、且つ、前記一般式（ＩＩ）で表される化合物の含有量が、０．４２質量％以下であることを特徴とする。
【００２５】
本発明の第五課題にかかる第五発明のインクジェット用インクは、上記構成のインクジェット用インク前記インクジェット用インクの２５℃におけるｐＨが、６．０以上９．５以下であり、且つ、前記ｐＨ、及び前記一般式（ＩＩ）で表される化合物のインクジェット用インク全質量に対する含有量（質量％）が、下記（ｌ）〜（ｏ）の何れかの関係を満たすことを特徴とする。
（ｌ）ｐＨが９．０以上９．５以下の場合、含有量が０．２３質量％以下
（ｍ）ｐＨが８．３以上９．０未満の場合、含有量が０．１８質量％以下
（ｎ）ｐＨが７．０以上８．３未満の場合、含有量が０．１１質量％以下
（ｏ）ｐＨが６．５以上７．０未満の場合、含有量が０．０９質量％以下
（ｐ）ｐＨが６．０以上６．５未満の場合、含有量が０．０４質量％以下
【００２６】
本発明の別の実施態様にかかるインクセットは、複数のインクからなるインクセットにおいて、マゼンタインクとして上記構成のインクジェット用インクを含むことを特徴とする。
【００２７】
本発明の別の実施態様にかかるインクジェット記録方法は、インクをインクジェット方法で吐出する工程を有するインクジェット記録方法において、前記インクが、上記構成のインクジェット用インクであることを特徴とする。
【００２８】
本発明の別の実施態様にかかるインクカートリッジは、インクを収容するインク収容部を備えたインクカートリッジにおいて、前記インクが、上記構成のインクジェット用インクであることを特徴とする。
【００２９】
本発明の別の実施態様にかかる記録ユニットは、インクを収容するインク収容部と、インクを吐出するための記録ヘッドとを備えた記録ユニットにおいて、前記インクが、上記構成のインクジェット用インクであることを特徴とする。
【００３０】
本発明の別の実施態様にかかるインクジェット記録装置は、インクを収容するインク収容部と、インクを吐出するための記録ヘッドとを備えたインクジェット記録装置において、前記インクが、上記構成のインクジェット用インクであることを特徴とする。
【００３１】
本発明の別の実施態様にかかるインクは、主たる発色構造部並びに前記主たる発色構造部に結合する補助構造部を有する色材、及び前記色材中の前記補助構造部と類似する主骨格並びにカルボキシル基を有し、且つ、可視領域に吸収域を持たない化合物、を含有することを特徴とする。
【発明の効果】
【００３２】
本発明の第一課題にかかる第一発明によれば、銀塩写真に匹敵する画質が得られ、記録物の高い耐光性を得ることができるインクジェット用インクを提供することができる。
【００３３】
又、本発明の第二課題にかかる第二発明によれば、記録物の高い耐光性と、低温保存時のインク安定性を両立できるインクジェット用インクを提供することができる。
【００３４】
又、本発明の第三課題にかかる第三発明の目的は、記録物の高い耐光性と、印字直後の初期吐出性を両立できるインクジェット用インクを提供することができる。
【００３５】
又、本発明の第四課題にかかる第四発明によれば、記録物の高い耐光性と、高い画像品位を両立できるインクジェット用インクを提供することができる。
【００３６】
又、本発明の第五課題にかかる第五発明によれば、記録物の高い耐光性と、高い印字持続性を両立できるインクジェット用インクを提供することができる。
【００３７】
又更に、本発明によれば、前記インクジェット用インクを用いたインクセット、インクジェット記録方法、インクカートリッジ、記録ユニット及びインクジェット記録装置を提供することができる。
【発明を実施するための最良の形態】
【００３８】
以下、好ましい実施の形態を挙げて本発明を更に詳細に説明する。
【００３９】
本発明は一般インク及びそれを用いた記録全般に対して効果が発揮されるが、特にインクジェット用インクとして用いた場合に効果が発揮されるために好ましい。以下、インクジェット用インクとして本発明のインクを用いた場合について説明する。
【００４０】
尚、本発明においては、化合物が塩である場合は、インク中では塩はイオンに解離して存在しているが、便宜上、「塩を含有する」と表現する。
【００４１】
＜インク＞
本発明者らが鋭意検討を行った結果、一般式（Ｉ）で表される化合物又はその塩を含有し、更に一般式（ＩＩ）で表される化合物を含有するインクを用いて得られた記録物は、一般式（ＩＩ）で表される化合物を含有しないインクを用いて得られた記録物と比較して、耐光性が向上することがわかった。
【００４２】
一般式（Ｉ）で表される化合物又はその塩と、一般式（ＩＩ）で表される化合物を組み合わせて用いることで、耐光性が向上する理由は、以下のように推測される。インク液滴が記録媒体に着弾した後に、インク中の水分が減少することや、インクのｐＨが酸性に到ることにより、分子内にカルボキシル基を有する一般式（ＩＩ）で表される化合物が記録媒体表面近傍で析出した状態で存在する。そして、一般式（ＩＩ）で表される化合物は、一般式（Ｉ）で表される化合物又はその塩の分解等を抑制する、つまり、一般式（ＩＩ）で表される化合物は、一般式（Ｉ）で表される化合物又はその塩を保護する役割を果たすため、記録物の耐光性が向上する。
【００４３】
更に、一般式（ＩＩ）で表される化合物は、可視域にはほとんど吸収を示さないため、記録物の色調に対してもほとんど影響を及ぼさないと考えられる。又、一般式（ＩＩ）で表される化合物は、その分子構造が、一般式（Ｉ）で表される化合物又はその塩の分子構造の一部とが類似している。従って、一般式（Ｉ）で表される化合物又はその塩、及び一般式（ＩＩ）で表される化合物が混在しても、インク中におけるそれぞれの化合物の親和性が高いため、インクの保存性やインクジェット特性が良好なインクとなることが考えられる。
【００４４】
（色材）
〔一般式（Ｉ）で表される化合物又はその塩〕
本発明にかかるインクジェット用インク（以下、単に「インク」と呼ぶこともある）は、下記一般式（Ｉ）で表される化合物又はその塩を含有することが必須である。
【００４５】
一般式（Ｉ）
【００４６】
【化３】
2006045536.tif 000004
【００４７】
（一般式（Ｉ）中、Ｒ１は水素原子、アルキル基、ヒドロキシ低級アルキル基、シクロヘキシル基、モノ又はジアルキルアミノアルキル基、又はシアノ低級アルキル基であり、Ｙは塩素原子、ヒドロキシル基、アミノ基、モノ又はジアルキルアミノ基（アルキル基上にスルホン酸基、カルボキシル基、及びヒドロキシル基からなる群から選択される置換基を有していてもよい）であり、Ｒ２、Ｒ３、Ｒ４、Ｒ５及びＲ６はそれぞれ独立に水素原子、炭素数１〜８のアルキル基、又はカルボキシル基（但し、Ｒ２、Ｒ３、Ｒ４、Ｒ５及びＲ６のすべてが水素原子である場合を除く）である。）
【００４８】
本発明においては、一般式（Ｉ）で表される化合物又はその塩を含有するインク用いることで、従来の色材を含有するインクを用いて得られた記録物と比較して、優れた耐光性等が得られる。
【００４９】
下記の例示化合物１〜７は、上記一般式（Ｉ）で表される化合物又はその塩の好ましい例示化合物である。勿論、本発明は以下の化合物に限定されるわけではない。尚、下記例示化合物において可溶化基は全てＨ型で記載してあるが、塩を形成していても良い。
【００５０】
【化４】
2006045536.tif 000005
【００５１】
上記の例示化合物の中でも、例示化合物６のナトリウム塩である、下記例示化合物Ａを用いることが特に好ましい。
【００５２】
例示化合物Ａ
【００５３】
【化５】
2006045536.tif 000006
【００５４】
一般式（Ｉ）で表される化合物又はその塩の含有量は、インク全質量に対して、０．１質量％以上１０．０質量％以下であることが好ましい。含有量が０．１質量％未満である場合、十分な画像濃度が得られない場合があり、含有量が１０．０質量％を超える場合、インクを吐出させる記録ヘッドのノズル部の固着回復性が得られない等、良好なインクジェット特性が得られない場合がある。但し、高い画像濃度を達成するためには、含有量が３．０質量％以上１０．０質量％以下であることが好ましく、更に、より高い画像濃度を達成するためには、含有量が４．５％質量％以上１０．０質量％以下であることが好ましい。
【００５５】
尚、本発明のインクを、色材濃度の高い濃インクとして用いる場合の一般式（Ｉ）で表される化合物又はその塩の含有量は、上記と同様の含有量で構わない。又、本発明のインクを、色材濃度の低い淡インクとして用いる場合は、一般式（Ｉ）で表される化合物又はその塩の含有量は、インク全質量に対して、０．１質量％以上３．０質量％以下であることが好ましく、更に、記録物の粒状性に優れたインクとする場合には、含有量が０．１質量％以上２．５質量％以下であることがより好ましい。
【００５６】
一般式（Ｉ）で表される化合物又はその塩は、単独で用いても、又、複数を組み合わせて用いてもよい。更に、本発明においては、色材として一般式（Ｉ）で示される化合物又はその塩を単独で用いても、又、色調等を整えるために他の色材と組み合わせて用いてもよい。尚、一般式（Ｉ）で表される化合物又はその塩と、他の色材を組み合わせて用いる場合における、色材のインク全質量に対する含有量の比率は、一般式（Ｉ）で示される化合物又はその塩の含有量、及びその他の色材の含有量が、１．０：１０．０〜１０．０：１．０の範囲であることが好ましい。
【００５７】
〔その他の色材〕
本発明においては、上記化合物の他に、調色用の色材として上記以外の色材を用いても構わない。
【００５８】
又、フルカラー画像等を形成するために、例えば、ブラックインク、シアンインク、マゼンタインク、イエローインク等の、本発明のインクとは別の色調を有するインクを併用しても構わない。又、これらのインクと同一の色調を有し、且つ、色材濃度の低い、いわゆる淡インクを組み合わせて用いることもできる。これらの別の色調を有するインク、又は淡インクの色材は、公知の色材であっても、新規に合成された色材であっても用いることができる。
【００５９】
尚、一般式（Ｉ）で表される化合物又はその塩と共に、調色用の色材をインクに含有させる場合、一般式（Ｉ）で表される化合物又はその塩と、調色用の色材の含有量との合計（質量％）は、インク全質量に対して、０．１質量％以上１０．０質量％以下であることが好ましい。一般式（Ｉ）で表される化合物又はその塩を単独で用いる場合と同様に、含有量が０．１質量％未満である場合、十分な画像濃度が得られない場合があり、含有量が１０．０質量％を超える場合、インクを吐出させる記録ヘッドのノズル部の固着回復性が得られない等、良好なインクジェット特性が得られない場合があるためである。調色用の色材を含有する濃インク及び淡インクにおける色材の含有量の合計についても、調色を行わない場合と同様である。
【００６０】
以下に、調色用色材、及び本発明のインクと共に使用する他のインクに用いる色材の具体例を色調別に示す。勿論、本発明はこれらに限定されるものではない。
【００６１】
［イエロー色材］
Ｃ．Ｉ．ダイレクトイエロー：８、１１、１２、２７、２８、３３、３９、４４、５０、５８、８５、８６、８７、８８、８９、９８、１００、１１０、１３２、１７３等
Ｃ．Ｉ．アシッドイエロー：１、３、７、１１、１７、２３、２５、２９、３６、３８、４０、４２、４４、７６、９８、９９等
Ｃ．Ｉ．ピグメントイエロー：１、２、３、１２、１３、１４、１５、１６、１７、７３、７４、７５、８３、９３、９５、９７、９８、１１４、１２８、１３８、１８０等
［マゼンタ色材］
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０等
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９等
Ｃ．Ｉ．フードレッド：８７、９２、９４等
Ｃ．Ｉ．ダイレクトバイオレット：１０７等
Ｃ．Ｉ．ピグメントレッド：２、５、７、１２、４８：２、４８：４、５７：１、１１２、１２２、１２３、１６８、１８４、２０２等
［シアン色材］
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７等
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４等
Ｃ．Ｉ．ピグメントブルー：１、２、３、１５、１５：２、１５：３、１５：４、１６、２２、６０等
［オレンジ色材］
Ｃ．Ｉ．アシッドオレンジ：７、８、１０、１２、２４、３３、５６、６７、７４、８８、９４、１１６、１４２等
Ｃ．Ｉ．アシッドレッド：１１１、１１４、２６６、３７４等
Ｃ．Ｉ．ダイレクトオレンジ：２６、２９、３４、３９、５７、１０２、１１８等
Ｃ．Ｉ．フードオレンジ：３等
Ｃ．Ｉ．リアクティブオレンジ：１、４、５、７、１２、１３、１４、１５、１６、２０、２９、３０、８４、１０７等
Ｃ．Ｉ．ディスパースオレンジ：１、３、１１、１３、２０、２５、２９、３０、３１、３２、４７、５５、５６等
Ｃ．Ｉ．ピグメントオレンジ：４３等
Ｃ．Ｉ．ピグメントレッド：１２２、１７０、１７７、１９４、２０９、２２４等
［グリーン色材］
Ｃ．Ｉ．アシッドグリーン：１、３、５、６、９、１２、１５、１６、１９、２１、２５、２８、８１、８４等
Ｃ．Ｉ．ダイレクトグリーン：２６、５９、６７等
Ｃ．Ｉ．フードグリーン：３等
Ｃ．Ｉ．リアクティブグリーン：５、６、１２、１９、２１等
Ｃ．Ｉ．ディスパースグリーン：６、９等
Ｃ．Ｉ．ピグメントグリーン：７、３６等
［ブルー色材］
Ｃ．Ｉ．アシッドブルー６２、８０、８３、９０、１０４、１１２、１１３、１４２、２０３、２０４、２２１、２４４等
Ｃ．Ｉ．リアクティブブルー：４９等
Ｃ．Ｉ．アシッドバイオレット：１７、１９、４８、４９、５４、１２９等
Ｃ．Ｉ．ダイレクトバイオレット：９、３５、４７、５１、６６、９３、９５、９９等
Ｃ．Ｉ．リアクティブバイオレット：１、２、４、５、６、８、９、２２、３４、３６等
Ｃ．Ｉ．ディスパースバイオレット：１、４、８、２３、２６、２８、３１、３３、３５、３８、４８、５６等
Ｃ．Ｉ．ピグメントブルー：５：６等
Ｃ．Ｉ．ピグメントバイオレット：１９、２３、３７等
［ブラック色材］
Ｃ．Ｉ．ダイレクトブラック：１７、１９、２２、３１、３２、５１、６２、７１、７４、１１２、１１３、１５４、１６８、１９５等
Ｃ．Ｉ．アシッドブラック：２、４８、５１、５２、１１０、１１５、１５６等
Ｃ．Ｉ．フードブラック：１、２等
カーボンブラック等
【００６２】
（一般式（ＩＩ）で表される化合物）
本発明にかかるインクジェット用インクは、更に、下記一般式（ＩＩ）で表される化合物又はその塩を含有することが必須である。
【００６３】
一般式（ＩＩ）
【００６４】
【化６】
2006045536.tif 000007
【００６５】
（一般式（ＩＩ）中、Ｒ７、Ｒ８、Ｒ９、Ｒ１０、Ｒ１１、Ｒ１２、Ｒ１３、Ｒ１４、Ｒ１５及びＲ１６はそれぞれ独立に水素原子、炭素数１〜８のアルキル基、カルボキシル基、又はその塩（但し、Ｒ７、Ｒ８、Ｒ９、Ｒ１０、Ｒ１１、Ｒ１２、Ｒ１３、Ｒ１４、Ｒ１５及びＲ１６のすべてが水素原子である場合を除き、且つ、Ｒ７、Ｒ８、Ｒ９、Ｒ１０、Ｒ１１、Ｒ１２、Ｒ１３、Ｒ１４、Ｒ１５及びＲ１６の少なくとも１つがカルボキシル基又はその塩である）であり、Ｘは塩素原子、ヒドロキシル基、アミノ基、モノ又はジアルキルアミノ基（アルキル基上にスルホン酸基、カルボキシル基、及びヒドロキシル基からなる群から選択される置換基を有してもよい）である。）
【００６６】
本発明においては、上記したメカニズムにより優れた耐光性等が得られるため、一般式（ＩＩ）で表される化合物は、記録媒体の表面近傍に存在させることが好ましい。このため、一般式（ＩＩ）で表される化合物は、その分子構造中の両端のフェニル基に１つずつ、合計２つのカルボキシル基が置換した構造であることが特に好ましい。
【００６７】
更に、一般式（ＩＩ）で表される化合物は、アルカリ金属の塩の形態で用いることが好ましい。又更には、インクの吐出安定性と、インク中における化合物の溶解性とのバランスの観点から前記アルカリ金属が、ナトリウムであることが好ましい。一般式（ＩＩ）で表される化合物の好ましい具体例には、例えば、下記例示化合物Ｂが挙げられる。
【００６８】
例示化合物Ｂ
【００６９】
【化７】
2006045536.tif 000008
【００７０】
一般式（ＩＩ）で表される化合物の含有量（質量％）は、インク全質量に対して、０．０２質量％以上であることが好ましい。含有量が０．０２質量％未満である場合、耐光性を向上する効果が不十分となる場合があるためである。
【００７１】
又、耐光性等の本発明の効果をより高めるためには、本発明のインク中における、一般式（Ｉ）で表される化合物又はその塩の含有量（質量％）、及び一般式（ＩＩ）で表される化合物の含有量（質量％）が、下記式（２）の関係を満たすことが好ましい。
【００７２】
【数１】
2006045536.tif 000009
【００７３】
（一般式（Ｉ）で表される化合物又はその塩、及び一般式（ＩＩ）で表される化合物の検証方法）
本発明において用いられる、一般式（Ｉ）で表される化合物又はその塩、及び一般式（ＩＩ）で表される化合物の検証には、高速液体クロマトグラフィー（ＨＰＬＣ）を用いた下記（１）〜（３）の検証方法が適用できる。
（１）ピークの保持時間
（２）（１）のピークにおける最大吸収波長
（３）（１）のピークにおけるマススペクトルのＭ／Ｚ（ｐｏｓｉ、ｎｅｇａ）
【００７４】
高速液体クロマトグラフィーの分析条件は以下に示す通りである。純水で約１０００倍に希釈したインク溶液に対して、下記の条件で高速液体クロマトグラフィーでの分析を行い、ピークの保持時間（ｒｅｔｅｎｔｉｏｎ  ｔｉｍｅ）、及び、ピークの最大吸収波長を測定する。
・カラム：Ｓｙｍｍｅｔｒｙ  Ｃ１８  ２．１ｍｍ×１５０ｍｍ
・カラム温度：４０℃
・流速：０．２ｍｌ／ｍｉｎ
・ＰＤＡ：２１０ｎｍ〜７００ｎｍ
・移動相及びグラジエント条件：表１
【００７５】
【表１】
2006045536.tif 000010
【００７６】
又、マススペクトルの分析条件は以下に示す通りである。得られたピークに対して、下記の条件でマススペクトルを測定し、最も強く検出されたＭ／Ｚをｐｏｓｉ、ｎｅｇａそれぞれに対して測定する。
・イオン化法
・ＥＳＩ  キャピラリ電圧  ３．５ｋＶ
脱溶媒ガス      ３００℃
イオン源温度    １２０℃
・検出器  ｐｏｓｉ        ４０Ｖ  ２００−１５００ａｍｕ／０．９ｓｅｃ
ｎｅｇａ        ４０Ｖ  ２００−１５００ａｍｕ／０．９ｓｅｃ
例えば、上記した例示化合物Ａ、及び、上記した例示化合物Ｂの化合物に対しての保持時間、最大吸収波長、Ｍ／Ｚ（ｐｏｓｉ）、Ｍ／Ｚ（ｎｅｇａ）の値を表２に示す。表２に示された値に該当する場合、本発明において用いる化合物に該当すると判断できる。
【００７７】
【表２】
2006045536.tif 000011
【００７８】
〔インクのｐＨ〕
本発明のインクを用い、優れた耐光性の他に、特に良好なインク性能を発揮するための好ましい条件について、以下に説明する。
【００７９】
一般式（ＩＩ）で表される化合物は、カルボキシル基を有する。このため、インクのｐＨが強酸性である場合、一般式（ＩＩ）で表される化合物の溶解性が低下する。従って、インクのｐＨを調整して、一般式（ＩＩ）で表される化合物を安定に溶解させる必要がある。又、インクジェット記録装置を構成する各部材における耐インク性を考慮すると、インクのｐＨが強塩基性である場合、不具合が発生することがある。
【００８０】
本発明者らは、上記の２点を考慮して検討を行った。その結果、インクの２５℃におけるｐＨ、及び一般式（ＩＩ）で表される化合物のインク全質量に対する含有量（質量％）が、下記式（１）の関係を満たす場合、インクを長期間保存する場合においても一般式（ＩＩ）で表される化合物が析出せず、又、インクジェット記録装置において不具合等が発生せず、インクジェット用インクに適する性能が得られることがわかった。
【００８１】
【数２】
2006045536.tif 000012
【００８２】
（式（１）中、ｐＨは４．０以上１１．０以下である。）
【００８３】
図１は、一般式（ＩＩ）で表される化合物の具体例として、上記例示化合物Ｂを用いた場合の、一般式（ＩＩ）で表される化合物のインク全質量に対する含有量（質量％）、及びインクの２５℃におけるｐＨの関係を示すグラフである。縦軸に上記例示化合物Ｂのインク全質量に対する含有量（質量％）、横軸にインクの２５℃におけるｐＨを取り、上記式（１）の関係を示すと、図１の網掛け部となる。
【００８４】
本発明のインクを、低温の環境（例えば５℃）で保存することを考慮する場合、図２の網掛け部で示される条件を満たすことが好ましい。即ち、優れた低温保存時のインク安定性を得るためには、インクの２５℃におけるｐＨが、４．０以上１１．０以下であり、且つ、前記ｐＨ、及び一般式（ＩＩ）で表される化合物のインク全質量に対する含有量（質量％）が、下記（ａ）〜（ｋ）の何れかの関係を満たすことが好ましい。
（ａ）ｐＨが１０．５以上１１．０以下の場合、含有量が２．１０質量％以下
（ｂ）ｐＨが１０．０以上１０．５未満の場合、含有量が１．５０質量％以下
（ｃ）ｐＨが９．０以上１０．０未満の場合、含有量が１．００質量％以下
（ｄ）ｐＨが８．０以上９．０未満の場合、含有量が０．６２質量％以下
（ｅ）ｐＨが７．２以上８．０未満の場合、含有量が０．３８質量％以下
（ｆ）ｐＨが７．０以上７．２未満の場合、含有量が０．２３質量％以下
（ｇ）ｐＨが６．５以上７．０未満の場合、含有量が０．１８質量％以下
（ｈ）ｐＨが６．０以上６．５未満の場合、含有量が０．１４質量％以下
（ｉ）ｐＨが５．２以上６．０未満の場合、含有量が０．０９質量％以下
（ｊ）ｐＨが５．０以上５．２未満の場合、含有量が０．０６質量％以下
（ｋ）ｐＨが４．０以上５．０未満の場合、含有量が０．０４質量％以下
【００８５】
更に、インクジェット記録装置を構成する各部材における耐インク性、及びインクを低温の環境（例えば５℃）で保存することを考慮する場合、インク２５℃におけるｐＨが、５．０以上１０．０以下であり、且つ、前記ｐＨ、及び一般式（ＩＩ）で表される化合物のインク全質量に対する含有量（質量％）が、下記（ｑ）〜（ｘ）の何れかの関係を満たすことがより好ましい。
（ｑ）ｐＨが８．６以上１０．０以下の場合、含有量が０．４２質量％以下
（ｒ）ｐＨが８．３以上８．６未満の場合、含有量が０．２９質量％以下
（ｓ）ｐＨが７．７以上８．３未満の場合、含有量が０．２４質量％以下
（ｔ）ｐＨが７．５以上７．７未満の場合、含有量が０．１７質量％以下
（ｕ）ｐＨが６．５以上７．５未満の場合、含有量が０．１４質量％以下
（ｖ）ｐＨが６．１以上６．５未満の場合、含有量が０．１１質量％以下
（ｗ）ｐＨが５．５以上６．１未満の場合、含有量が０．０６質量％以下
（ｘ）ｐＨが５．０以上５．５未満の場合、含有量が０．０４質量％以下
【００８６】
本発明のインクを、所定のノズルからインクを吐出させた後、前記所定のノズルから一定時間インクを吐出させずに放置した後に、再度前記所定のノズルからインクを吐出させた時に、安定した吐出を行うことができ、良好な印字画像が得られるインクとすることを考慮する場合、図３の網掛け部で示される条件を満たすことが好ましい。即ち、優れた印字直後の初期吐出性を得るためには、一般式（ＩＩ）で表される化合物のインク全質量に対する含有量（質量％）が、２．００質量％以下であることが好ましく、更には１．００質量％以下であることがより好ましい。又、この場合においても、インクの保存安定性を考慮して、上記式（１）の関係を満たすことが好ましい。
【００８７】
本発明のインクを用いて得られた記録物が、一般式（ＩＩ）で表される化合物を含有しないインクを用いて得られた記録物と比較して、画像濃度や色味の変化が実質的にない、つまり画像品位が良好な記録物を得ることを考慮する場合、図４の網掛け部で示される条件を満たすことが好ましい。即ち、優れた画像品位を得るためには、一般式（ＩＩ）で表される化合物のインク全質量に対する含有量（質量％）が、０．４２質量％以下であることが好ましい。又、この場合においても、インクの保存安定性を考慮して、上記式（１）の関係を満たすことが好ましい。
【００８８】
本発明のインクを、インクジェット記録装置の使用期間内において、記録ヘッドの１ノズルあたりの印加パルス数が多いインクジェット記録装置に用いることを考慮する場合、図５の網掛け部で示される条件を満たすことが好ましい。即ち、優れた印字持続性を得るためには、インクの２５℃におけるｐＨが、６．０以上９．５以下であり、且つ、前記ｐＨ、及び一般式（ＩＩ）で表される化合物のインク全質量に対する含有量（質量％）が、下記（ｌ）〜（ｏ）の何れかの関係を満たすことがより好ましい。
（ｌ）ｐＨが９．０以上９．５以下の場合、含有量が０．２３質量％以下
（ｍ）ｐＨが８．３以上９．０未満の場合、含有量が０．１８質量％以下
（ｎ）ｐＨが７．０以上８．３未満の場合、含有量が０．１１質量％以下
（ｏ）ｐＨが６．５以上７．０未満の場合、含有量が０．０９質量％以下
（ｐ）ｐＨが６．０以上６．５未満の場合、含有量が０．０４質量％以下
【００８９】
尚、本発明においては、インクのｐＨの測定には、ｐＨ  ＭＥＴＥＲ  Ｆ−２１（ＨＯＲＩＢＡ製）を用いた。
【００９０】
（水性媒体）
本発明のインク組成物は、水、或いは水と各種水溶性有機溶剤との混合溶媒である水性媒体を使用することができる。
【００９１】
水溶性有機溶剤は、水溶性であれば特に制限は無く、エタノール、イソプロパノール、ｎ−ブタノール、イソブタノール、第二ブタノール、第三ブタノール等の炭素数１〜４のアルキルアルコール；Ｎ，Ｎ−ジメチルホルムアミド又はＮ，Ｎ−ジメチルアセトアミド等のカルボン酸アミド；アセトン、メチルエチルケトン、２−メチル−２−ヒドロキシペンタン−４−オン等のケトン；又は、ケトアルコール、テトラヒドロフラン、ジオキサン等の環状エーテル；グリセリン、エチレングリコール、ジエチレングリコール、トリエチレングリコール、テトラエチレングリコール、１，２−又は１，３−プロピレングリコール、１，２−又は１，４−ブチレングリコール、ポリエチレングリコール、１，３−ブタンジオール、１，５−ペンタンジオール、１，２−ヘキサンジオール、１，６−ヘキサンジオール、ジチオグリコール、２−メチル−１，３−プロパンジオール、１，２，６−ヘキサントリオール、アセチレングリコール誘導体、トリメチロールプロパン等の多価アルコール類；エチレングリコールモノメチル（又はエチル）エーテル、ジエチレングリコールモノメチル（又はエチル）エーテル、トリエチレングリコールモノエチル（又はブチル）エーテル等の多価アルコールのアルキルエーテル類；２−ピロリドン、Ｎ−メチル−２−ピロリドン、１，３−ジメチル−２−イミダゾリジノン、Ｎ−メチルモルホリンなどの複素環類；ジメチルスルホキシド等の含硫黄化合物；尿素、及び、尿素誘導体等を用いることができる。上記水溶性有機溶剤は、単独で用いても、或いは混合物として用いても良い。
【００９２】
これらの水溶性有機溶剤の含有量は、インク全質量に対して好ましくは５質量％〜９０質量％、より好ましくは１０質量％〜５０質量％である。含有量がこの範囲より少ない場合は、インクジェット用として用いた場合に、吐出性等の信頼性が悪化する場合があり、含有量がこの範囲より多い場合は、インクの粘度が上昇することにより、インクの供給不良が発生する場合があるためである。
【００９３】
又、水は脱イオン水（イオン交換水）を用いることが好ましい。水の含有量は、インク全質量に対して１０質量％〜９０質量％であることが好ましい。
【００９４】
（その他の添加剤）
更に、本発明においては必要に応じて、界面活性剤、ｐＨ調整剤、防錆剤、防腐剤、防カビ剤、キレート化剤、防錆剤、紫外線吸収剤、粘度調整剤、消泡剤、及び、水溶性ポリマー等、種々の添加剤を含有させてもよい。
【００９５】
界面活性剤の具体例は、アニオン界面活性剤、両面界面活性剤、カチオン界面活性剤、ノニオン界面活性剤などが挙げられる。
【００９６】
アニオン界面活性剤の具体例は、アルキルスリホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン塩酸、ジエチルスルホ琥珀酸塩、ジエチルヘキシルスルホ琥珀酸ジオクチルスルホ琥珀酸塩などが挙げられる。
【００９７】
カチオン界面活性剤の具体例は、２−ビニルピリジン誘導体、ポリ４−ビニルピリジン誘導体などがある。両面活性剤としては、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他イミダゾリン誘導体などがある。
【００９８】
ノニオン界面活性剤の具体例は、ポリオキシエチレンノニルフェニルエーテル、ポリオキシエチレンオクチルフェニルエーテル、ポリオキシエチレンドデシルフェニルエーテル、ポリオキシエチレンラウリルエーテル、ポリオキシエチレンオレイルエーテル、ポリオキシエチレンアルキルエーテル、ポリオキシアリルキルアルキルエーテル等のエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレート等のエステル系、２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系（例えば、川研ファインケミカル製アセチレノールＥＨ、日信化学製サーフィノール１０４、８２、４６５、オルフィンＳＴＧ等）が挙げられる。
【００９９】
ｐＨ調整剤は、インクのｐＨを所定の範囲に制御できるものであれば任意の物質を用いることができる。具体的には、例えば、ジエタノールアミン、トリエタノールアミン、イソプロパノールアミン、トリスヒドロキシメチルアミノメタンなどのアルコールアミン化合物、水酸化リチウム、水酸化カリウムなどのアルカリ金属の水酸化物、水酸化アンモニウム、或いは炭酸リチウム、炭酸ナトリウム、炭酸カリウムなどのアルカリ金属の炭酸塩などが挙げられる。
【０１００】
防腐剤・防カビ剤の具体例は、例えば、有機硫黄系、有機窒素硫黄系、有機ハロゲン系、ハロアリルスルホン系、ヨードプロパギル系、Ｎ−ハロアルキルチオ系、ベンツチアゾール系、ニトチリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系、無機塩系等の化合物が挙げられる。
【０１０１】
有機ハロゲン系化合物は、例えば、ペンタクロロフェノールナトリウムが挙げられ、ピリジンオキシド系化合物は、例えば、２−ピリジンチオール−１オキサイドナトリウムが挙げられ、無機塩系化合物は、例えば無水酢酸ソーダが挙げられ、イソチアゾリン化合物は、例えば、１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド等が挙げられる。その他の防腐剤・防カビ剤の具体例として、ソルビン酸ソーダ安息香酸ナトリウム等、例えば、アベシア製プロキセルＧＸＬ（Ｓ）、プロキセルＸＬ−２（Ｓ）等が挙げられる。
【０１０２】
キレート化剤は、例えば、クエン酸ナトリウム、エチレンジアミン四酢酸ナトリウム、二ニトロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【０１０３】
防錆剤は、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【０１０４】
紫外線吸収剤は、例えば、ベンゾフェノン系化合物、ベンゾトリアゾール系化合物、桂皮酸系化合物、トリアジン系化合物、スチルベン系化合物、又は、ベンズオキサゾール系化合物に代表される紫外線を吸収して蛍光を発する化合物、いわゆる蛍光増白剤も用いることができる。
【０１０５】
粘度調整剤は、水溶性有機溶剤の他に、水溶性高分子化合物が挙げられ、例えば、ポリビニルアルコール、セルロース誘導体、ポリアミン、ポリイミン等が挙げられる。
【０１０６】
消泡剤は、フッ素系、シリコーン系化合物が必要に応じて用いられる。
【０１０７】
＜記録媒体＞
本発明のインクを用いて画像を形成する際に用いる記録媒体は、インクを付与して記録を行う記録媒体であれば何れのものでも使用することができる。
【０１０８】
本発明は、色材や顔料などの色材をインク受容層内の多孔質構造を形成する微粒子に吸着させて、少なくともこの吸着した微粒子から画像が形成される記録媒体に適用され、インクジェット法を利用する場合に特に好適である。このようなインクジェット用の記録媒体は支持体上のインク受容層に形成された空隙によりインクを吸収するいわゆる吸収タイプであることが好ましい。
【０１０９】
吸収タイプのインク受容層は、微粒子を主体とし、必要に応じて、バインダーやその他の添加剤を含有する多孔質層として構成される。微粒子の具体例は、シリカ、クレー、タルク、炭酸カルシウム、カオリン、アルミナあるいはアルミナ水和物等の酸化アルミニウム、珪藻土、酸化チタン、ハイドロタルサイト、酸化亜鉛等の無機顔料や尿素ホルマリン樹脂、エチレン樹脂、スチレン樹脂等の有機顔料が挙げられ、これらの１種以上が使用される。バインダーとして好適に使用されているものには水溶性高分子やラテックスを挙げることができる。例えば、ポリビニルアルコール又はその変性体、澱粉又はその変性体、ゼラチン又はその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、メチルメタクリレート−ブタジエン共重合体ラテックス、官能基変性重合体ラテックス、エチレン酢酸ビニル共重合体などのビニル系共重合体ラテックス、ポリビニルピロリドン、無水マレイン酸又はその共重合体、アクリル酸エステル共重合体などが使用され、必要に応じて２種以上を組み合わせて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【０１１０】
特に、本発明において好ましく用いられる記録媒体は、平均粒子径が１μｍ以下の微粒子を主体として、インク受容層を形成した記録媒体が好ましい。上記の微粒子として、特に好ましいものは、例えばシリカ微粒子や酸化アルミニウム微粒子等が挙げられる。シリカ微粒子として好ましいものは、コロイダルシリカに代表されるシリカ微粒子である。コロイダルシリカ自体は市場より入手可能であるが、特には、例えば特許第２８０３１３４号、同２８８１８４７号公報に掲載されたものが好ましい。酸化アルミニウム微粒子として好ましいものは、アルミナ水和物微粒子等である。このようなアルミナ水和物微粒子の一つとして下記一般式により表されるアルミナ水和物を挙げることができる。
ＡｌＯ３−ｎ（ＯＨ）２ｎ・ｍＨ２Ｏ
（上記式中、ｎは１、２又は３の整数の何れかを表し、ｍは０〜１０、好ましくは０〜５の値を表す。但し、ｍとｎは同時には０にはならない。ｍＨ２Ｏは、多くの場合ｍＨ２Ｏ結晶格子の形成に関与しない脱離可能な水相をも表すものである為、ｍは整数又は整数でない値を取ることもできる。又この種の材料を加熱するとｍは０の値に達することがありうる。）
【０１１１】
アルミナ水和物は、米国特許第４，２４２，２７１号、米国特許第４，２０２，８７０号に記載のアルミニウムアルコキシドの加水分解、アルミン酸ナトリウムの加水分解、又、特公昭５７−４４６０５号公報に記載のアルミン酸ナトリウム等の水溶液に硫酸ナトリウム、塩化アルミニウム等の水溶液を加えて中和を行う方法など、公知の方法で製造することができる。
【０１１２】
記録媒体は上記したインク受容層を支持するための支持体を有することが好ましい。支持体は、インク受容層が、上記多孔質の微粒子で形成することが可能であって、且つインクジェットプリンタ等の搬送機構によって搬送可能な剛度を与えるものであれば、特に制限はなく、何れのものでも使用できる。具体的には、例えば、天然セルロース繊維を主体としてパルプ原料から成る紙支持体、ポリエステル（例：ポリエチレンテレフタラート）、セルローストリアセテート、ポリカーボネート、ポリ塩化ビニル、ポリプロピレン、ポリイミド等の材料からなるプラスチック支持体、基紙の少なくとも一方に白色顔料等を添加したポリオレフィン樹脂被樹脂被覆層を有する樹脂被覆紙（例：ＲＣペーパー）が挙げられる。
【０１１３】
＜インクセット＞
本発明のインクは、他のインクと組み合わせてインクセットとした場合においても好ましく使用することができる。本発明におけるインクセットは、本発明のインクを、シアンインク、マゼンタインク、イエローインク、ブラックインク等の他のインクと共に用いる状態ことである。尚、インクセットとして組み合わせることのできる他のインクについての限定は特にない。又、本発明におけるインクセットとは、インクタンクが複数一体になっているインクタンク自体は無論のこと、単独のインクタンクを複数組み合わせて使用する場合も含み、更に、前記インクタンク及び記録ヘッドを一体としたものも含まれる。
【０１１４】
具体的には、例えば、本発明にかかるインクである淡インクと、本発明にかかるインクである濃インクを、夫々単独のインクタンクとして組み合わせて使用する状態や、本発明にかかるインクである淡インクと、他のインクが一体となったインクカートリッジと、本発明にかかるインクである濃インクと他のインクが一体となったインクカートリッジとを組み合わせて使用する状態等が挙げられる。
【０１１５】
＜インクジェット記録方法＞
本発明にかかるインクは、インクをインクジェット方法で吐出する工程を有するインクジェット記録方法に用いることが特に好適である。インクジェット記録方法は、インクに力学的エネルギーを作用させてインクを吐出させる記録方法、及びインクに熱エネルギーを作用させてインクを吐出させる記録方法等がある。特に、本発明においては、熱エネルギーを利用するインクジェット記録方法を好ましく用いることができる。
【０１１６】
＜インクカートリッジ＞
本発明にかかるインクを用いて記録を行うのに好適なインクカートリッジは、これらのインクを収容するインク収容部を備えたインクカートリッジが挙げられる。
【０１１７】
＜記録ユニット＞
本発明にかかるインクを用いて記録を行うのに好適な記録ユニットは、これらのインクを収容するインク収容部と、記録ヘッドとを備えた記録ユニットが挙げられる。特に、前記記録ヘッドが、記録信号に対応した熱エネルギーをインクに作用させ、前記エネルギーによりインク液滴を発生させる記録ユニットが挙げられる。
【０１１８】
＜インクジェット記録装置＞
本発明にかかるインクを用いて記録を行うのに好適な記録装置は、これらのインクが収容されるインク収容部を有する記録ヘッドの室内のインクに、記録信号に対応した熱エネルギーを与え、前記エネルギーによりインク液滴を発生させる装置が挙げられる。
【０１１９】
以下に、インクジェット記録装置の機構部の概略構成を説明する。記録装置本体は、各機構の役割から、給紙部、用紙搬送部、キャリッジ部、排紙部、クリーニング部及びこれらを保護し、意匠性を持たす外装部から構成されている。以下、これらの概略を説明していく。
【０１２０】
図１０は、記録装置の斜視図である。又、図１１及び図１２は、記録装置本体の内部機構を説明するための図であり、図１１は右上部からの斜視図、図１２は記録装置本体の側断面図をそれぞれ示したものである。
【０１２１】
記録装置において給紙を行う際には、まず給紙トレイＭ２０６０を含む給紙部において記録媒体の所定枚数のみが給紙ローラＭ２０８０と分離ローラＭ２０４１から構成されるニップ部に送られる。送られた記録媒体はニップ部で分離され、最上位の記録媒体のみが搬送される。用紙搬送部に送られた記録媒体は、ピンチローラホルダＭ３０００及びペーパーガイドフラッパーＭ３０３０に案内されて、搬送ローラＭ３０６０とピンチローラＭ３０７０とのローラ対に送られる。搬送ローラＭ３０６０とピンチローラＭ３０７０とからなるローラ対は、ＬＦモータＥ０００２の駆動により回転され、この回転により記録媒体がプラテンＭ３０４０上を搬送される。
【０１２２】
キャリッジ部では記録媒体に画像を形成する場合、記録ヘッドＨ１００１（図１３）を目的の画像形成位置に配置させ、電気基板Ｅ００１４からの信号に従って、記録媒体に対しインクを吐出する。記録ヘッドＨ１００１についての詳細な構成は後述するが、記録ヘッドＨ１００１により記録を行いながらキャリッジＭ４０００が列方向に走査する記録主走査と、搬送ローラＭ３０６０により記録媒体が行方向に搬送される副走査とを交互に繰り返すことにより、記録媒体上に画像を形成していく構成となっている。
【０１２３】
最後に画像を形成された記録媒体は、排紙部で第１の排紙ローラＭ３１１０と拍車Ｍ３１２０とのニップに挟まれ、搬送されて排紙トレイＭ３１６０に排出される。
【０１２４】
尚、クリーニング部において、画像記録前後の記録ヘッドＨ１００１をクリーニングする目的のために、キャップＭ５０１０を記録ヘッドＨ１００１のインク吐出口に密着させた状態で、ポンプＭ５０００を作用させると、記録ヘッドＨ１００１から不要なインク等が吸引されるようになっている。又、キャップＭ５０１０を開けた状態で、キャップＭ５０１０に残っているインクを吸引することにより、残インクによる固着及びその後の弊害が起こらないように配慮されている。
【０１２５】
（記録ヘッド構成）
ヘッドカートリッジＨ１０００の構成について説明する。ヘッドカートリッジＨ１０００は、記録ヘッドＨ１００１と、インクタンクＨ１９００を搭載する手段、及びインクタンクＨ１９００から記録ヘッドにインクを供給するための手段を有しており、キャリッジＭ４０００に対して着脱可能に搭載される。
【０１２６】
図１３は、ヘッドカートリッジＨ１０００に対し、インクタンクＨ１９００を装着する様子を示した図である。記録装置は、イエロー、マゼンタ、シアン、ブラック、淡マゼンタ、淡シアン、及びグリーンインクによって画像を形成し、従ってインクタンクＨ１９００も７色分が独立に用意されている。上記において、少なくとも一種のインクに、本発明にかかるインクを用いる。そして、図に示すように、それぞれがヘッドカートリッジＨ１０００に対して着脱自在となっている。尚、インクタンクＨ１９００の着脱は、キャリッジＭ４０００にヘッドカートリッジＨ１０００が搭載された状態で行えるようになっている。
【０１２７】
図１４は、ヘッドカートリッジＨ１０００の分解斜視図を示したものである。図において、ヘッドカートリッジＨ１０００は、第１の記録素子基板Ｈ１１００及び第２の記録素子基板Ｈ１１０１、第１のプレートＨ１２００、第２のプレートＨ１４００、電気配線基板Ｈ１３００、タンクホルダーＨ１５００、流路形成部材Ｈ１６００、フィルターＨ１７００、シールゴムＨ１８００などから構成されている。
【０１２８】
第１の記録素子基板Ｈ１１００及び第２の記録素子基板Ｈ１１０１はＳｉ基板であり、その片面にインクを吐出するための複数の記録素子（ノズル）がフォトリソ技術により形成されている。各記録素子に電力を供給するＡｌ等の電気配線は、成膜技術により形成されており、個々の記録素子に対応した複数のインク流路も又、フォトリソグラフィ技術により形成されている。更に、複数のインク流路にインクを供給するためのインク供給口が裏面に開口するように形成されている。
【０１２９】
図１５は、第１の記録素子基板Ｈ１１００及び第２の記録素子基板Ｈ１１０１の構成を説明するための正面拡大図である。Ｈ２０００〜Ｈ２６００は、それぞれ異なるインク色に対応する記録素子の列（以下ノズル列ともいう）であり、第１の記録素子基板Ｈ１１００には、イエローインクの供給されるノズル列Ｈ２０００、マゼンタインクの供給されるノズル列Ｈ２１００、及びシアンインクの供給されるノズル列Ｈ２２００の３色分のノズル列が構成されている。第２の記録素子基板Ｈ１１０１には、淡シアンインクの供給されるノズル列Ｈ２３００、ブラックインクの供給されるノズル列Ｈ２４００、オレンジインクの供給されるノズル列Ｈ２５００、及び淡マゼンタインクの供給されるノズル列Ｈ２６００の４色分のノズル列が構成されている。
【０１３０】
各ノズル列は、記録媒体の搬送方向に１２００ｄｐｉ（ｄｏｔ／ｉｎｃｈ；参考値）の間隔で並ぶ７６８個のノズルによって構成され、約２ピコリットルのインク滴を吐出させる。各ノズル吐出口における開口面積は、およそ１００平方μｍ２に設定されている。又、第１の記録素子基板Ｈ１１００及び第２の記録素子基板Ｈ１１０１は第１のプレートＨ１２００に接着固定されており、ここには、第１の記録素子基板Ｈ１１００及び第２の記録素子基板Ｈ１１０１にインクを供給するためのインク供給口Ｈ１２０１が形成されている。
【０１３１】
更に、第１のプレートＨ１２００には、開口部を有する第２のプレートＨ１４００が接着固定されており、この第２のプレートＨ１４００は、電気配線基板Ｈ１３００と第１の記録素子基板Ｈ１１００及び第２の記録素子基板Ｈ１１０１とが電気的に接続されるように、電気配線基板Ｈ１３００を保持している。
【０１３２】
電気配線基板Ｈ１３００は、第１の記録素子基板Ｈ１１００及び第２の記録素子基板Ｈ１１０１に形成されている各ノズルからインクを吐出するための電気信号を印加するものであり、第１の記録素子基板Ｈ１１００及び第２の記録素子基板Ｈ１１０１に対応する電気配線と、この電気配線端部に位置し記録装置本体からの電気信号を受け取るための外部信号入力端子Ｈ１３０１とを有している。外部信号入力端子Ｈ１３０１は、タンクホルダーＨ１５００の背面側に位置決め固定されている。
【０１３３】
一方、インクタンクＨ１９００を保持するタンクホルダーＨ１５００には、流路形成部材Ｈ１６００が例えば超音波溶着により固定され、インクタンクＨ１９００から第１のプレートＨ１２００に通じるインク流路Ｈ１５０１を形成している。
【０１３４】
インクタンクＨ１９００と係合するインク流路Ｈ１５０１のインクタンク側端部には、フィルターＨ１７００が設けられており、外部からの塵埃の侵入を防止し得るようになっている。又、インクタンクＨ１９００との係合部にはシールゴムＨ１８００が装着され、係合部からのインクの蒸発を防止し得るようになっている。
【０１３５】
更に、前述のようにタンクホルダーＨ１５００、流路形成部材Ｈ１６００、フィルターＨ１７００及びシールゴムＨ１８００から構成されるタンクホルダー部と、第１の記録素子基板Ｈ１１００及び第２の記録素子基板Ｈ１１０１、第１のプレートＨ１２００、電気配線基板Ｈ１３００及び第２のプレートＨ１４００から構成される記録ヘッド部Ｈ１００１とを、接着等で結合することにより、ヘッドカートリッジＨ１０００が構成されている。
【０１３６】
尚、ここでは記録ヘッドの一形態として、電気信号に応じて膜沸騰をインクに対して生じさせるための熱エネルギーを生成する電気熱変換体（記録素子）を用いて記録を行うバブルジェット（登録商標）方式の記録ヘッドについて一例を挙げて述べた。
【０１３７】
この代表的な構成や原理については、例えば、米国特許第４，７２３，１２９号明細書、同第４，７４０，７９６号明細書に開示されている基本的な原理を用いて行うものが好ましい。この方式は、所謂オンデマンド型、コンティニュアス型の何れにも適用可能であるが、特に、オンデマンド型の場合には、液体（インク）が保持されているシートや液流路に対応して配置されている電気熱変換体に、記録情報に対応していて核沸騰を超える急速な温度上昇を与える少なくとも一つの駆動信号を印加することによって、電気熱変換体に熱エネルギーを発生せしめ、記録ヘッドの熱作用面に膜沸騰を生じさせて、結果的にこの駆動信号に一対一で対応した液体（インク）内の気泡を形成できるので有効である。この気泡の成長、収縮により吐出用開口を介して液体（インク）を吐出させて、少なくとも一つの滴を形成する。この駆動信号をパルス形状とすると、即時適切に気泡の成長・収縮が行われるので、特に応答性に優れた液体（インク）の吐出が達成でき、より好ましい。
【０１３８】
又、第二の力学的エネルギーを利用したインクジェット記録装置の形態として、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録ヘッドを挙げることができる。
【０１３９】
又、インクジェット記録装置は、上述のようにヘッドとインクタンクとが別体となったものに限らず、それらが分離不能に一体になったものを用いるものでもよい。又、インクタンクはヘッドに対し分離可能又は分離不能に一体化されてキャリッジに搭載されるもののほか、装置の固定部位に設けられて、インク供給部材、例えばチューブを介して記録ヘッドにインクを供給する形態のものでもよい。更に、記録ヘッドに対し好ましい負圧を作用させるための構成をインクタンクに設ける場合には、インクタンクのインク収納部に吸収体を配置した形態、あるいは可撓性のインク収容袋とこれに対しその内容積を拡張する方向の付勢力を作用するばね部とを有した形態などを採用することができる。又、記録装置は、上述のようにシリアル記録方式を採るもののほか、記録媒体の全幅に対応した範囲にわたって記録素子を整列させてなるラインプリンタの形態をとるものであってもよい。
【０１４０】
＜インクの別の形態＞
更に本発明者らは、各種の色材、及び各種の補助添加剤の組み合わせを多数検討した結果、記録物の耐光性を向上するための基本技術思想を見出した。即ち、その分子構造が相互に類似した、主たる色材及び補助添加剤が生じる相乗効果を利用することで、本発明の第一の課題を解決することができる。
【０１４１】
つまり、主たる発色構造部並びに前記主たる発色構造部に結合する補助構造部を有する色材、及び前記色材中の前記補助構造部と類似する主骨格並びにカルボキシル基を有し、且つ、可視領域に吸収域を持たない化合物を含有するインク、を用いることにより、得られる記録物の耐光性が良好となる。この発明は、勿論第１発明によって実施される。
【０１４２】
ここで、主たる発色構造部とは、色材の構造において、発色団の多くが含まれる部位のことである。又、補助構造部とは、発色団の多くが含まれる部位以外の部分である。具体的には、例えば、一般式（Ｉ）で表される化合物又はその塩の場合、主たる発色構造部はアントラピリドン骨格であり、補助構造部はアントラピリドン骨格に結合する置換基である。
【実施例】
【０１４３】
以下、実施例及び参考例を用いて本発明を更に詳細に説明するが、本発明は、その要旨を超えない限り、下記の実施例によって何ら限定されるものではない。尚、特に指定の無い限り、実施例、比較例のインク成分は「質量部」を意味する。本実施例においては、一般に用いられるインクよりも厳しい特性が要求されるインクジェット記録方法を用いて説明を行う。勿論、一般のインクの第１課題、耐光性は以下の実施例から読み取れるものと考える。
【０１４４】
＜一般式（Ｉ）で表される化合物又はその塩である色材の調製＞
キシレン中で、下記化合物（１）で表される化合物、炭酸ナトリウム、ベンゾイル酢酸エチルエステルとを反応させ、反応物を濾過、洗浄した。これを、Ｎ，Ｎ−ジメチルホルムアミド中で、メタアミノアセトアニリド、酢酸銅、炭酸ナトリウムを順次添加して反応を行い、反応物を濾過、洗浄した。更にこれを、発煙硫酸中でスルホン化を行った後、濾過、洗浄し、これを、水酸化ナトリウムの存在下で、シアヌルクロライドと縮合反応を行った。この反応液中に、アンスラニル酸を添加し、水酸化ナトリウムの存在下で縮合反応を行った。これを濾過、洗浄を行うことにより、下記の例示化合物Ａを得た。
【０１４５】
化合物（１）
【０１４６】
【化８】
2006045536.tif 000013
【０１４７】
例示化合物Ａ
【０１４８】
【化９】
2006045536.tif 000014
【０１４９】
＜一般式（ＩＩ）で表される化合物である色材の調製＞
一般式（ＩＩ）で表される化合物は、公知の方法で調製することができる。ここでは、一般式（ＩＩ）で表される化合物として、下記の例示化合物Ｂを例に挙げて、その合成方法の一例を示す。
【０１５０】
塩化シアヌルの懸濁液にアンスラニル酸水溶液を添加し、水酸化ナトリウムの存在下で縮合反応を行うことにより、塩化シアヌル１分子に対してアンスラニル酸２分子が縮合した縮合物を得た。更に、水酸化ナトリウムを添加して加熱し、加水分解反応を行った。これを濾過、洗浄を行うことにより、下記の例示化合物Ｂを得た。
【０１５１】
例示化合物Ｂ
【０１５２】
【化１０】
2006045536.tif 000015
【０１５３】
＜インクの調製＞
下記表３〜５に示した各成分を混合し、十分撹拌した後、ポアサイズ０．２μｍのフィルターにて加圧濾過を行い、インク１〜２６を調製した。尚、下記表３〜５に各インクのｐＨの値を示した。ｐＨの調整は、水酸化ナトリウム又は硫酸を添加した純水を用いて行った。
【０１５４】
【表３】
2006045536.tif 000016
【０１５５】
【表４】
2006045536.tif 000017
【０１５６】
【表５】
2006045536.tif 000018
【０１５７】
＜評価＞
上記で得られたインクを、熱エネルギーをインクに印加して、インク滴を吐出するサーマルインクジェットプリンタ（商品名：ＰＩＸＵＳ  ９５０ｉ；キヤノン製）を用いて、マゼンタインクの位置にこれらのインクを充填して印字を行い、以下の項目について評価を行った。
【０１５８】
（１）耐光性
温度２３℃、相対湿度５５％の条件で、記録媒体（商品名：ＰＲ−１０１；キヤノン製）に、上記プリンタを用い、記録密度２４００ｄｐｉ×１２００ｄｐｉで、インク吐出量を２．５ｐｌとして、５０％デューティで印字を行った。得られた記録物を、温度２３℃、相対湿度５５％の条件で２４時間自然乾燥させ、低温サイクルキセノンウェザーメーター（商品名：ＸＬ−７５Ｃ；スガ試験機製）にセットし、照射強度１００キロルクス、槽内温度２３℃、相対湿度５５％の条件で１週間曝露した。試験前後の記録物を分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件で光学濃度を測定し、試験前後の光学濃度の値から残存率を算出した。耐光性の基準は以下の通りである。評価結果を表６に示す。
Ａ：例示化合物Ｂを含有しないインク２６と比較して耐光性が向上した。
Ｂ：例示化合物Ｂを含有しないインク２６と耐光性が同等である。
Ｃ：例示化合物Ｂを含有しないインク２６と比較して耐光性が悪化した。
【０１５９】
【表６】
2006045536.tif 000019
【０１６０】
上記表６よりわかるように、例示化合物Ｂを含有するインクを用いて得られた記録物は、例示化合物を含有しないインクを用いて得られた記録物と比較して、良好な耐光性が得られる。
【０１６１】
（２）低温保存時のインク安定性
無色のガラス製密閉容器に各インクを入れ、温度５℃の環境で２時間放置し、沈殿物の発生を目視で確認した。低温保存時のインク安定性の基準は以下の通りである。評価結果を表７に示す。
Ａ：沈殿物が発生しない、若しくは極僅かに発生するが、低温時にプリンタを使用しても問題ないレベルである。
Ｂ：沈殿物が発生し、低温時にプリンタを使用すると問題が発生する場合がある。
【０１６２】
【表７】
2006045536.tif 000020
【０１６３】
上記表７よりわかるように、低温保存時のインク安定性は、例示化合物Ｂの含有量（質量％）及びインクのｐＨと相関性を有する。
【０１６４】
縦軸に上記例示化合物Ｂのインク全質量に対する含有量（質量％）、横軸にインクの２５℃におけるｐＨを取り、優れた低温保存時のインク安定性を得るために好ましい範囲、及び低温保存時のインク安定性の評価結果を示したものが図６である。尚、図６において、網掛け部が好ましい範囲、○は評価基準におけるＡ、△は評価基準におけるＢである。
【０１６５】
（３）印字直後の初期吐出性
上記プリンタを、温度２３℃、相対湿度５５％の条件で５時間放置した後、所定のノズルからインクを吐出させた後、５秒間印字を休止し、再度前記所定のノズルからインクを吐出させ、記録媒体（商品名：ＨＲ−１０１；キヤノン製）に印字を行った。得られた記録物の印字品位を目視にて観察した。印字直後の初期吐出性の基準は以下の通りである。評価結果を表８に示す。
ＡＡ：正常な印字が行える。
Ａ：若干の印字の乱れがあるが許容できる。
Ｂ：不吐出又は印字の乱れのある場合がある。
【０１６６】
【表８】
2006045536.tif 000021
【０１６７】
上記表８よりわかるように、印字直後の初期吐出性は、例示化合物Ｂの含有量（質量％）が、２．０質量％以下である場合、実際の使用上問題はなく、更には１．０質量％以下である場合、特に良好となる。
【０１６８】
縦軸に上記例示化合物Ｂのインク全質量に対する含有量（質量％）、横軸にインクの２５℃におけるｐＨを取り、優れた印字直後の初期吐出性を得るために好ましい範囲、及び印字直後の初期吐出性の評価結果を示したものが図７である。尚、図７において、網掛け部が好ましい範囲、□は評価基準におけるＡＡ、○は評価基準におけるＡ、△は評価基準におけるＢである。
【０１６９】
（４）画像品位
温度２３℃、相対湿度５５％の条件で、記録媒体（商品名：ＰＲ−１０１；キヤノン製）に、上記プリンタを用い、記録密度２４００ｄｐｉ×１２００ｄｐｉで、インク吐出量を２．５ｐｌとして、５％〜１００％の種々のデューティーで印字を行った。得られた記録物を目視にて観察した。画像品位の基準は以下の通りである。評価結果を表９に示す。
【０１７０】
Ａ：例示化合物Ｂを含有しないインク２６と比較して、記録物の画像濃度の変化がない、若しくは非常に少ない。即ち、例示化合物Ｂを含有するインク及び例示化合物Ｂを含有しないインクを同一のデューティーで印字して得られた記録物を、それぞれ分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件で光学濃度を測定した際の光学濃度の差が０．１以下である。
Ｂ：例示化合物Ｂを含有しないインク２６と比較して、記録物の画像濃度の変化が見られる。即ち、例示化合物Ｂを含有するインク及び例示化合物Ｂを含有しないインクを同一のデューティーで印字して得られた記録物を、それぞれ分光光度計（Ｓｐｅｃｔｏｒｏｌｉｎｏ；Ｇｒｅｔａｇ  Ｍａｃｂｅｔｈ製）を用いて、光源：Ｄ５０、視野：２°の条件で光学濃度を測定した際の光学濃度の差が０．１より大きい。
【０１７１】
【表９】
2006045536.tif 000022
【０１７２】
上記表９よりわかるように、画像品位は、例示化合物Ｂの含有量（質量％）が、０．４２質量％以下である場合、例示化合物Ｂを含有しないインクを用いて得られた画像と実質同一である。
【０１７３】
縦軸に上記例示化合物Ｂのインク全質量に対する含有量（質量％）、横軸にインクの２５℃におけるｐＨを取り、優れた画像品位を得るために好ましい範囲、及び画像品位の評価結果を示したものが図８である。尚、図８において、網掛け部が好ましい範囲、○は評価基準におけるＡ、△は評価基準におけるＢである。
【０１７４】
（５）印字持続性
温度２３℃、相対湿度５５％の条件で、記録媒体（商品名：リサイクルペーパーＥＮ−１００；キヤノン製）に、上記プリンタを用い、１ノズルあたり１×１０８パルスを印加して連続印字を行った後、そのままの状態でプリンタを１２時間放置し、更に印字を行った。その後、連続印字前後の記録物を比較した。印字持続性の基準は以下の通りである。評価結果を表１０に示す。
ＡＡ：初期画像と全く変化なし。
Ａ：初期画像比較して若干変化する場合があるが許容できる。
Ｂ：連続印字が終了する前に、記録物にかすれが発生する場合がある。
【０１７５】
【表１０】
2006045536.tif 000023
【０１７６】
上記表１０よりわかるように、印字連続性は、例示化合物Ｂの含有量（質量％）及びインクのｐＨと相関性を有する。
【０１７７】
縦軸に上記例示化合物Ｂのインク全質量に対する含有量（質量％）、横軸にインクの２５℃におけるｐＨを取り、優れた印字持続性を得るために好ましい範囲、及び印字持続性の評価結果を示したものが図９である。尚、図９において、網掛け部が好ましい範囲、□は評価基準におけるＡＡ、○は評価基準におけるＡ、△は評価基準におけるＢである。
【図面の簡単な説明】
【０１７８】
【図１】縦軸に例示化合物Ｂの含有量（質量％）、横軸にインクの２５℃におけるｐＨを取り、インクを長期間保存する場合においても一般式（ＩＩ）で表される化合物が析出せず、又、インクジェット用インクに適する性能が得られる範囲を示すグラフである。
【図２】優れた低温保存時のインク安定性を得るために好ましい範囲を示すグラフである。
【図３】優れた印字直後の初期吐出性を得るために好ましい範囲を示すグラフである。
【図４】優れた画像品位を得るために好ましい範囲を示すグラフである。
【図５】優れた印字持続性を得るために好ましい範囲を示すグラフである。
【図６】優れた低温保存時のインク安定性を得るために好ましい範囲、及び低温保存時のインク安定性の評価結果を示すグラフである。
【図７】優れた印字直後の初期吐出性を得るために好ましい範囲、及び印字直後の初期吐出性の評価結果を示すグラフである。
【図８】優れた画像品位を得るために好ましい範囲、及び画像品位の評価結果を示すグラフである。
【図９】優れた印字持続性を得るために好ましい範囲、及び印字持続性の評価結果を示すグラフである。
【図１０】記録装置の斜視図である。
【図１１】記録装置の機構部の斜視図である。
【図１２】記録装置の断面図である。
【図１３】ヘッドカートリッジにインクタンクを装着する状態示した斜視図である。
【図１４】ヘッドカートリッジの分解斜視図である。
【図１５】ヘッドカートリッジにおける記録素子基板を示す正面図である。
【符号の説明】
【０１７９】
Ｍ２０４１  分離ローラ
Ｍ２０６０  給紙トレイ
Ｍ２０８０  給紙ローラ
Ｍ３０００  ピンチローラホルダ
Ｍ３０３０  ペーパーガイドフラッパー
Ｍ３０４０  プラテン
Ｍ３０６０  搬送ローラ
Ｍ３０７０  ピンチローラ
Ｍ３１１０  排紙ローラ
Ｍ３１２０  拍車
Ｍ３１６０  排紙トレイ
Ｍ４０００  キャリッジ
Ｍ５０００  ポンプ
Ｍ５０１０  キャップ
Ｅ０００２  ＬＦモータ
Ｅ００１４  電気基板
Ｈ１０００  ヘッドカートリッジ
Ｈ１００１  記録ヘッド
Ｈ１１００  第１の記録素子基板
Ｈ１１０１  第２の記録素子基板
Ｈ１２００  第１のプレート
Ｈ１２０１  インク供給口
Ｈ１３００  電気配線基板
Ｈ１３０１  外部信号入力端子
Ｈ１４００  第２のプレート
Ｈ１５００  タンクホルダー
Ｈ１５０１  インク流路
Ｈ１６００  流路形成部材
Ｈ１７００  フィルター
Ｈ１８００  シールゴム
Ｈ１９００  インクタンク
Ｈ２０００  イエローノズル列
Ｈ２１００  マゼンタノズル列
Ｈ２２００  シアンノズル列
Ｈ２３００  淡シアンノズル列
Ｈ２４００  ブラックノズル列
Ｈ２５００  グリーンノズル列
Ｈ２６００  淡マゼンタノズル列
【図１】
2006045536.tif 000028
【図２】
2006045536.tif 000029
【図３】
2006045536.tif 000030
【図４】
2006045536.tif 000031
【図５】
2006045536.tif 000032
【図６】
2006045536.tif 000033
【図７】
2006045536.tif 000034
【図８】
2006045536.tif 000035
【図９】
2006045536.tif 000036
【図１０】
2006045536.tif 000037
【図１１】
2006045536.tif 000038
【図１２】
2006045536.tif 000039
【図１３】
2006045536.tif 000040
【図１４】
2006045536.tif 000041
【図１５】
2006045536.tif 000042